(57)【特許請求の範囲】
【請求項１】
勾配のある屋根の袖部に葺設され、瓦本体が屋根葺き材の上面を覆う上片部と、この上片部の妻側において下方に向け垂設される垂下部とから構成される袖瓦であって、
前記垂下部の頭部側端縁には厚みを薄くした薄肉部を形成し、一方、垂下部の尻部側端縁には一段上位に葺設される上位袖瓦の薄肉部を垂下部表面が面一となるように重ね合わせ可能な凹み部を形成し、また該凹み部の下端には前記上位袖瓦の薄肉部の端縁に沿って垂下した雨滴が雨垂れとして落下するのを防止する鍔状の水受け部を形成した袖瓦において、
前記垂下部の頭部側は葺設される袖瓦の重なり分に等しい長さだけ切り欠かれているとともに、垂下部の頭部側端縁には厚みを薄くした断面略三角形状の薄肉部が形成されており、一方、垂下部の尻部側端縁には前記三角形状に対応した凹み部が形成され、また該凹み部の下端には前記三角形状に等しい水受け部が形成されていることを特徴とする袖瓦。
【請求項２】
薄肉部の長さは葺設される袖瓦の重なり分に等しい長さであり、また、凹み部も前記重なり分に等しい長さであり、該凹み部の下端の全長に渡って帯状の水受け部が形成されている請求項１に記載の袖瓦。
【発明の詳細な説明】
【技術分野】
【０００１】
本発明は、勾配のある屋根の袖部に葺設される袖瓦であって、降雨時に雨滴が袖瓦の側面から落下するのを防ぎ軒先まで確実に導くことができる袖瓦に関するものである。
【背景技術】
【０００２】
従来から、切妻屋根等の袖部に葺設される袖瓦として、屋根葺き材の上面を覆う上片部と、この上片部の妻側において下方に向け垂設される垂下部とからなり、垂直方向の断面が逆Ｌ字状に構成されたものが知られている（例えば、特許文献１を参照）。
しかしながら、特許文献１に記載の袖瓦にあっては、降雨時に雨滴が袖瓦側面の継ぎ部からポタポタと落下する現象が生じ、静かな住宅街では騒音になるという問題や、雨滴が雨風に飛ばされて屋根葺き材や周囲の建材等を腐食させる原因になるという問題が指摘されていた。
【０００３】
そこで、特許文献２や特許文献３に示されるように、袖瓦の垂下部の下方に尻部から頭部にわたる凸状あるいは凹状の雨受け部を設けるとともに、この雨受け部を軒先まで連続させたものが提案されている。これによれば、前記受け部により垂下部の継ぎ部における雨垂れを防ぐことができ、また雨滴を雨受け部に沿って軒先まで導くことが可能である。
【０００４】
しかしながら、特許文献２や特許文献３に示す袖瓦の場合、垂下部の下方に横方向に横断する凹状あるいは凸状の模様が入るため外観品質が低下するという問題があった。また、凸状の雨受け部の場合は、抜け勾配を考慮する必要性から生産性が悪くなるという問題や、使用中に割れや欠け等の問題を生じやすいという問題があった。
【先行技術文献】
【特許文献】
【０００５】
【特許文献１】特開平１０−１６９１０４号公報
【特許文献２】特開２００３−２０７６３号公報
【特許文献３】特許第４８０４１１９号公報
【発明の概要】
【発明が解決しようとする課題】
【０００６】
本発明は上記のような問題点を解決して、勾配のある屋根の袖部に葺設される袖瓦であって、降雨時に雨滴が袖瓦の側面から落下するのを防いで軒先まで確実に導くことができ、また凹凸のないスッキリした外観で意匠的にも優れており、更には優れた生産性も発揮することができる袖瓦を提供することを目的として完成されたものである。
【課題を解決するための手段】
【０００７】
上記課題を解決するためになされた本発明の袖瓦は、勾配のある屋根の袖部に葺設され、瓦本体が屋根葺き材の上面を覆う上片部と、この上片部の妻側において下方に向け垂設される垂下部とから構成される袖瓦であって、
前記垂下部の頭部側端縁には厚みを薄くした薄肉部を形成し、一方、垂下部の尻部側端縁には一段上位に葺設される上位袖瓦の薄肉部を垂下部表面が面一となるように重ね合わせ可能な凹み部を形成し、また該凹み部の下端には前記上位袖瓦の薄肉部の端縁に沿って垂下した雨滴が雨垂れとして落下するのを防止する鍔状の水受け部を形成した袖瓦において、
前記垂下部の頭部側は葺設される袖瓦の重なり分に等しい長さだけ切り欠かれているとともに、垂下部の頭部側端縁には厚みを薄くした断面略三角形状の薄肉部が形成されており、一方、垂下部の尻部側端縁には前記三角形状に対応した凹み部が形成され、また該凹み部の下端には前記三角形状に等しい水受け部が形成されていることを特徴とするものである。
【０００８】
前記薄肉部の長さは葺設される袖瓦の重なり分に等しい長さであり、また、凹み部も前記重なり分に等しい長さであり、該凹み部の下端の全長に渡って帯状の水受け部が形成されているものとすることができ、これを請求項２に係る発明とする。
【０００９】
【発明の効果】
【００１０】
請求項１に係る発明では、勾配のある屋根の袖部に葺設され、瓦本体が屋根葺き材の上面を覆う上片部と、この上片部の妻側において下方に向け垂設される垂下部とから構成される袖瓦において、前記垂下部の頭部側端縁には厚みを薄くした薄肉部を形成し、一方、垂下部の尻部側端縁には一段上位に葺設される上位袖瓦の薄肉部を垂下部表面が面一となるように重ね合わせ可能な凹み部を形成し、また該凹み部の下端には前記上位袖瓦の薄肉部の端縁に沿って垂下した雨滴が雨垂れとして落下するのを防止する鍔状の水受け部を形成したので、垂下部の頭部側端縁に沿って垂下した雨滴は下端部において一度水受け部に乗り移り、次いで、一段下位の袖瓦の垂下部下端縁に沿って流下するので、従来のように雨滴が垂下部の端縁において雨垂れとなって落下するのを防止できる。
また、前記垂下部の頭部側は葺設される袖瓦の重なり分に等しい長さだけ切り欠かれているとともに、垂下部の頭部側端縁には厚みを薄くした断面略三角形状の薄肉部が形成されており、一方、垂下部の尻部側端縁には凹み部には前記三角形状に対応した凹み部が形成され、また該凹み部の下端には前記三角形状に等しい水受け部が形成されているものとしたので、垂下部の頭部側端縁が尻部側へ入り込んだ位置にあり流下する雨滴が少なく雨垂れを発生しにくくしている。また、凹み部や水受け部の形状は単純な三角形状であり、優れた生産性を発揮することができる。
【００１１】
また、請求項２に係る発明では、薄肉部の長さは葺設される袖瓦の重なり分に等しい長さであり、また、凹み部も前記重なり分に等しい長さであり、該凹み部の下端の全長に渡って帯状の水受け部が形成されているものとしたので、水受け部の面積が大きく大量の雨が降った場合であっても十分な量の雨滴を保持することが可能となり、大雨の場合の雨垂れも確実に防止できる。
【００１２】
【図面の簡単な説明】
【００１３】
【図１】本発明の実施の形態を示す斜視図である。
【図２】図１の正面図である。
【図３】図１の袖瓦の葺設状態を示す斜視図である。
【図４】図３の正面図である。
【図５】その他の実施の形態を示す正面図である。
【図６】図５の正面図である。
【図７】図５の袖瓦の葺設状態を示す斜視図である。
【図８】図７の正面図である。
【発明を実施するための形態】
【００１４】
以下に、図面を参照しつつ本発明の好ましい実施の形態を示す。
図１は、本発明に係る袖瓦の一例を示す斜視図、図２は正面図である。また、図３は図１の袖瓦の葺設状態を示す斜視図、図４は正面図である。
本発明の袖瓦は、切妻屋根のような勾配のある屋根の袖部に葺設されるものである。図において、１は瓦本体１であり、基本的には野地板や瓦等の屋根葺き材（図示せず）の上面を覆う上片部２と、この上片部２の妻側において下方に向け垂設される垂下部３とから構成されており、長手方向に直交する断面は略逆Ｌ字状となっている。
【００１５】
図１〜図４に示すように、前記垂下部３の頭部（Ｔ）側端縁には厚みを薄くした薄肉部４が形成されている。一方、垂下部３の尻部（Ｓ）側端縁には一段上位に葺設される上位袖瓦の薄肉部４を垂下部表面が面一となるように重ね合わせ可能な凹み部５が形成されており、また、この凹み部５の下端には前記上位袖瓦の薄肉部４の端縁４ａに沿って垂下した雨滴が雨垂れとして落下するのを防止する鍔状の水受け部６が形成されている。
【００１６】
本発明者は、袖瓦の垂下部を流下する水滴について流下状態の研究をした結果、降雨時に雨滴が袖瓦側面からポタポタと落下するのは、２つの瓦の継ぎ部で発生する現象であることを突き止めた。即ち、２つの瓦の継ぎ部間においては、水滴は垂下部下端縁において表面張力により丸まった状態を維持しつつ尻部（Ｓ）から頭部（Ｔ）に向けて流下して行く。このため、この間では水滴が雨垂れとなって落ちることはほとんどない。
しかし、２つの瓦の継ぎ部においては、垂下部下端縁を流下してきた水滴と、垂下部の側端縁に沿って流下した水滴とが合流して大きな水滴に成長するため、自重で落下したり、あるいは風圧等の影響で落下する現象が生じることを解明した。
【００１７】
そこで、本発明では垂下部３の尻部（Ｓ）側端縁に一段上位に葺設される上位袖瓦の薄肉部４を重ね合わせ可能な凹み部５を形成し、この凹み部５の下端に前記上位袖瓦の薄肉部４の端縁４ａに沿って垂下した雨滴が雨垂れとして落下するのを防止する鍔状の水受け部６を形成することにより、２つの瓦の継ぎ部における水滴を水受け部６で一旦保持させ、次いで、一段下位の袖瓦の垂下部下端縁に沿って流下させることで、従来のように雨滴が垂下部の端縁において雨垂れとなって落下するのを防止するようにした。
なお、前記鍔状の水受け部６は垂下部３の表面より外側へ突出することがなく、垂下部３の表面と面一になるように形成してある。従って、本発明の場合、従来のように垂下部の表面に凹凸状の雨受け部がないので、平滑な面となっておりスッキリとした外観を呈することができ、また生産性も向上させることができる。
【００１８】
次に、前記薄肉部４、凹み部５、水受け部６の具体的形状について更に説明する。
図１〜図４に示すものでは、前記薄肉部４の長さは、一段上位に葺設される上位袖瓦の重なり分に等しい長さ（Ａ）となっている。ここで、薄肉部４の長さとは、瓦本体１の頭部（Ｔ）から尻部（Ｓ）へ至る方向の長さをいう。一方、前記凹み部５も前記重なり分の長さ（Ａ）に等しい長さであり、該凹み部５の下端には帯状の水受け部６が形成されたものとなっている。
従って、水受け部６の面積が大きく十分な量の雨滴を保持することが可能となり、大雨で大量の雨が降った場合であっても、２つの瓦の継ぎ部で雨垂れが生じるのを確実に防止できることとなる。
【００１９】
また、図５〜図８に示すものでは、前記垂下部３の頭部側は葺設される袖瓦の重なり分に等しい長さだけ切り欠かれており、頭部（Ｔ）に板状の重なり上片部７が突出した状態となっている。また、垂下部３の頭部側端縁には厚みを薄くした断面略三角形状の薄肉部４が形成されている。一方、垂下部３の尻部側端縁には前記三角形状に対応した凹み部５が形成され、また該凹み部５の下端には前記三角形状に等しい水受け部６が形成されている。
従って、垂下部３の頭部側端縁が尻部側へ入り込んだ位置にあるため、流下する雨滴が少なく、また、垂下部下端縁を流下して来る雨滴と合流しても雨垂れを発生しにくい構造となっている。また、凹み部や水受け部の形状は単純な三角形状であり、優れた生産性を発揮することもできる。
【００２０】
なお、前記薄肉部４、凹み部５、水受け部６の形状については図示のものに限定されるものではなく、使用目的等に応じて任意に設計変更できることは勿論である。
【００２１】
以上のように構成された本発明の袖瓦は、図３や図７に示すように、袖瓦の尻部（Ｓ）に一段上位に葺設する上位袖瓦の頭部（Ｔ）が重なるように順次葺設され、使用に供される。本発明では、瓦本体の垂下部の頭部側端縁には厚みを薄くした薄肉部を形成し、一方、垂下部の尻部側端縁には前記薄肉部を重ね合わせ可能な凹み部を形成し、また該凹み部の下端には前記薄肉部の端縁に沿って垂下した雨滴が雨垂れとして落下するのを防止する鍔状の水受け部を形成したので、垂下部の頭部側端縁に沿って垂下した雨滴は下端部において一度水受け部に乗り移り、次いで、一段下位の袖瓦の垂下部下端縁に沿って流下するので、従来のように雨滴が垂下部の端縁において雨垂れとなって落下するのを的確に防止することができることとなる。
また、従来のように垂下部の表面に凹凸状の雨受け部がないので、平滑な面となっておりスッキリとした外観を呈することができ、また生産性も向上させることができる。
【符号の説明】
【００２２】
１  瓦本体
２  上片部
３  垂下部
４  薄肉部
４ａ  端縁
５  凹み部
６  水受け部
７  重なり上片部
Ａ  重なり分
Ｓ  尻部
Ｔ  頭部
【図１】
0005916396.tif 000002
【図２】
0005916396.tif 000003
【図３】
0005916396.tif 000004
【図４】
0005916396.tif 000005
【図５】
0005916396.tif 000006
【図６】
0005916396.tif 000007
【図７】
0005916396.tif 000008
【図８】
0005916396.tif 000009